(57)【要約】【課題】縄跳びにおいて、紐の高回転を助長する。【解決手段】コイルスプリング３０を、円筒部３１と円錐台状の拡開部３２とによって構成する。略円筒状のハンドル２０の第１開口部２２から円筒部３１を突出させ、拡開部３２をハンドル２０の内周面２１のストッパ面２３と、スプリング押さえ４０のテーパ状の押圧面４１とによって挟持する。これにより、スプリング３０の軸心Ｃをハンドル２０の軸心Ｃに高い精度で一致させて、スプリング３０を位置決め固定することができる。スプリング３０は、紐を回転させると、円筒部３０の基端３１ａ近傍を基準に先端３１ｂ側が湾曲するが、拡開部３２が固定されていて、不要に回転しないので、湾曲による復元力が紐の回転を有効に助長するようにすることができる。【選択図】図２
2010178865.tif 000002
【特許請求の範囲】
【請求項１】
長く延びる紐と、前記紐の両端にそれぞれ取り付けられた２つのハンドルユニットとを備えた縄跳びにおいて、
前記ハンドルユニットは、
軸心に沿って基端側から前記紐の端部が取り付けられる先端側に向かって延びる略筒状に形成されるとともに、前記軸心上における前記先端に形成された第１開口部と、前記第１開口部に連続する内周面に前記基端側に向かって直径が大きくなるストッパ面とを有するハンドルと、
前記第１開口部から突出される円筒部と、前記円筒部の基端側に連続するとともに前記ストッパ面に倣って形成されて前記ストッパ面に当接される拡開部とを有するコイルスプリングと、
前記拡開部の内面に倣って形成され、前記拡開部に挿入されて前記ストッパ面との間に前記拡開部を挟持する押圧面と、前記スプリングの軸心を貫通する前記紐の端部を係止する係止部とを有するスプリング押さえと、を備える、
ことを特徴とする縄跳び。
【請求項２】
前記ストッパ面、前記拡開部、前記押圧面が、円錐台状に形成されている、
ことを特徴とする請求項１に記載の縄跳び。
【請求項３】
前記スプリング押さえは、先端側に形成されて、前記紐の端部が前記軸心に沿って貫通される透孔と、基端側に形成されて、前記透孔を貫通した前記紐の端部を折り返して保持して前記紐の端部が抜けるのを防止する保持部とを有する、
ことを特徴とする請求項１又は２に記載の縄跳び。
【請求項４】
前記紐の端部を屈曲させて屈曲状態で前記保持部に保持させる紐抜け止め具を有する、
ことを特徴とする請求項３に記載の縄跳び。
【請求項５】
前記紐抜け止め具は、前記紐の直径と略同寸の、相互に隣接する２個の透孔を有し、前記紐の端部を一方の透孔と他方の透孔とに連続して挿通させて前記紐の端部を屈曲させる、
ことを特徴とする請求項４に記載の縄跳び。
【請求項６】
前記ハンドルは、基端に、前記スプリング及び前記スプリング押さえの通過を許容する第２開口部を有する、
ことを特徴とする請求項１ないし５のいずれか１項に記載の縄跳び。
【請求項７】
前記スプリング押さえは、前記押圧面の基端側に筒状部を有し、前記円筒部は、外周面を周方向に複数等分する位置のそれぞれに突設されて前記軸心方向に沿って延びて、前記ハンドルの内周面に接触する軸方向リブを有する、
ことを特徴とする請求項６に記載の縄跳び。
【発明の詳細な説明】
【技術分野】
【０００１】
本発明は、紐の両端に、掌で握るハンドルが取り付けられた縄跳び、特に、紐の両端とハンドルとの連結部分にコイルばねが設けられた縄跳びに関する。
【背景技術】
【０００２】
紐の両端部、すなわち一方の端部と他方の端部のそれぞれにハンドルを取り付けた縄跳びにおいて、紐の端部とハンドルとの連結部近傍に、スプリングを装着したものが知られている（例えば、特許文献１）。
【０００３】
このものは、ハンドルにおける紐との連結側に棚台を設け、基端側に抜け止めが形成された棒状のスプリングを、この棚台に貫通させて先端側を外側に突出させ、この突出された先端に紐の端部を連結するようにしている。
【０００４】
この縄跳びによると、ハンドルを握って紐を回転させた際に、棒状のスプリングが湾曲して、その復元力によって、回転力が増強されるようになっている。
【特許文献１】実開昭６３−１８９２６７号公報
【発明の開示】
【発明が解決しようとする課題】
【０００５】
しかしながら、上述の縄跳びによると、棚台を貫通している棒状のスプリングは、棚台に対して自由に回転してしまうので、紐が回転されてスプリングが湾曲された際に、その復元力の一部がスプリング自体を回転させてしまうため、紐の回転を十分に助長することができないという問題があった。
【０００６】
そこで、本発明は、紐の回転を助長することができ、例えば、二重跳びを容易に行うことができ、かつ紐が高回転しても抜けにくく、しかも縄の長さ調整が簡単にできる縄跳びを提供することを目的とするものである。
【課題を解決するための手段】
【０００７】
請求項１に係る発明は、長く延びる紐と、前記紐の両端にそれぞれ取り付けられた２つのハンドルユニットとを備えた縄跳びに関する。この発明に係る縄跳びは、前記ハンドルユニットは、軸心に沿って基端側から前記紐の端部が取り付けられる先端側に向かって延びる略筒状に形成されるとともに、前記軸心上における前記先端に形成された第１開口部と、前記第１開口部に連続する内周面に前記基端側に向かって直径が大きくなるストッパ面とを有するハンドルと、前記第１開口部から突出される円筒部と、前記円筒部の基端側に連続するとともに前記ストッパ面に倣って形成されて前記ストッパ面に当接される拡開部とを有するコイルスプリングと、前記拡開部の内面に倣って形成され、前記拡開部に挿入されて前記ストッパ面との間に前記拡開部を挟持する押圧面と、前記スプリングの軸心を貫通する前記紐の端部を係止する係止部とを有するスプリング押さえと、を備える、ことを特徴とする。
【０００８】
請求項２に係る発明は、請求項１に記載の縄跳びにおいて、前記ストッパ面、前記拡開部、前記押圧面が、円錐台状に形成されている、ことを特徴とする。
【０００９】
請求項３に係る発明は、請求項１又は２に記載の縄跳びにおいて、前記スプリング押さえは、先端側に形成されて、前記紐の端部が前記軸心に沿って貫通される透孔と、基端側に形成されて、前記透孔を貫通した前記紐の端部を折り返して保持して前記紐の端部が抜けるのを防止する保持部とを有する、ことを特徴とする。
【００１０】
請求項４に係る発明は、請求項３に記載の縄跳びにおいて、前記紐の端部を屈曲させて屈曲状態で前記保持部に保持させる紐抜け止め具を有する、ことを特徴とする。
【００１１】
請求項５に係る発明は、請求項４に記載の縄跳びにおいて、前記紐抜け止め具は、前記紐の直径と略同寸の、相互に隣接する２個の透孔を有し、前記紐の端部を一方の透孔と他方の透孔とに連続して挿通させて前記紐の端部を屈曲させる、ことを特徴とする。
【００１２】
請求項６に係る発明は、請求項１ないし５のいずれか１項に記載の縄跳びにおいて、前記ハンドルは、基端に、前記スプリング及び前記スプリング押さえの通過を許容する第２開口部を有する、ことを特徴とする。
【００１３】
請求項７に係る発明は、請求項６に記載の縄跳びにおいて、前記スプリング押さえは、前記押圧面の基端側に筒状部を有し、前記円筒部は、外周面を周方向に複数等分する位置のそれぞれに突設されて前記軸心方向に沿って延びて、前記ハンドルの内周面に接触する軸方向リブを有する、ことを特徴とする。
【発明の効果】
【００１４】
請求項１の発明によれば、例えば、使用者が左の掌で一方のハンドルを握り、右の掌で他方のハンドルを握って紐を回転させると、この回転によりスプリングがハンドルの第１開口部近傍で湾曲して、スプリングの弾性力に伴う復元力が、回転方向に作用する。このため、スプリングにより回転が助長され、回転が円滑に行われる。したがって、例えば、二重跳び、三重跳び等の高回転の縄跳びがやりやすくなる。この際、スプリングの拡開部をハンドルのストッパ面とスプリング押さえの押圧面との間で挟持することにより、拡開部を、傾斜した広い面積で、しかも軸心を基準として高い精度で位置決め固定して不要に回転することを防止できるので、紐が回転してスプリングが湾曲した際の復元力を、無駄なく有効に回転方向に作用させることができる。また、紐の端部をスプリング押さえの係止部によって固定しているので、紐の回転が早くなった場合でも、紐が外れるのを防止することができる。
【００１５】
請求項２の発明によれば、ストッパ面、前記拡開部、前記押圧面が円錐台状に形成されているので、形状が単純で製造が容易である。
【００１６】
請求項３の発明によれば、保持部により、紐の端部がスプリング押さえから外れることを有効に防止することができる。
【００１７】
請求項４の発明によれば、紐抜け部を使用することで、紐の抜け止めをさらに確実なものとすることができる。
【００１８】
請求項５の発明によれば、紐抜け止め具は、紐の端部を２個の透孔に挿入させて、保持部に係合指せる簡単な動作で、紐の抜け止めを確実に行うことができる。
【００１９】
請求項６の発明によれば、ハンドルの基端部の第２開口部を介して、スプリング及びスプリング押さえを挿脱することができるので、組み立てや紐の長さ調整が容易となる。
【００２０】
請求項７の発明によれば、スプリング押さえは、ハンドルの内周面に接触する軸方向リブを有しているので、ハンドルの内側に対する挿脱が一層容易であるとともに、ハンドルの内側に挿入した際には、スプリング押さえを高い精度で、軸心上に位置決めすることができる。したがって、このスプリング押さえによって位置決め固定されるスプリングも、高い精度で軸心上に位置決め固定される。
【発明を実施するための最良の形態】
【００２１】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２２】
図１〜図１１を参照して、本発明に係る縄跳びの一例として、実施形態１の縄飛び１について説明する。
【００２３】
ここで、図１は、ハンドル２０、スプリング（コイルスプリング）３０、スプリング押さえ４０、紐抜け止め具５０からなるハンドルユニットＨの、紐１０が通った状態の分解斜視図である。図２（ａ）は、軸心（中心軸）Ｃを含む平面できったハンドルユニットＨの断面図、（ｂ）は、紐１０が抜けた状態のハンドルユニットＨの分解斜視図である。図３は、軸心Ｃを含む平面で切ったハンドルユニットＨを模式的に示す断面図である。図４は、ハンドル２０を説明する図であり、（ａ），（ｂ），（ｃ）は、この順に左側面図、一部破断正面図、右側面図である。図５は、スプリング３０を説明する図であり、（ａ），（ｂ），（ｃ）は、この順に左側面図、正面図、右側面図である。図６は、スプリング押さえ４０を説明する図であり、（ａ），（ｂ），（ｃ），（ｄ），（ｅ）は、この順に上面図、左側面図、正面図、右側面図、Ａ−Ａ線矢視図である。図７は、紐抜け止め具５０を説明する図であり、（ａ），（ｂ），（ｃ）は、この順に上面図、正面図、右側面図である。図８は、他の紐抜け止め具６０を説明する図であり、（ａ），（ｂ），（ｃ）は、この順に上面図、正面図、右側面図である。図９（ａ）は、他の紐抜け止め具６０の使用例を説明する図であり、（ａ）は、ハンドルユニットＨの、軸心Ｃを含む平面で切った断面図、（ｂ）は、ハンドルユニットＨの分解斜視図である。図１０は、縄跳び１の使用状態を説明する図である。図１１は、縄跳び１の、回転力が増加する原理を説明する図である。
【００２４】
図１０に示すように、縄跳び１は、長く延びる紐１０と、この紐１０の両端にそれぞれ取り付けられた２個のハンドルユニットＨとを備えている。ただし、図１０では、一方のハンドルユニットＨのみを図示している。使用者は、縄跳びをする際に、一方のハンドルユニットＨを左の掌で握り、また、他方のハンドルユニットＨを右の掌で握って、紐１０を回転させることになる。なお、２個のハンドルユニットＨは、同じ構造であるので、以下の説明では、一方のハンドルユニットＨについてのみ説明する。
【００２５】
ハンドルユニットＨは、図１〜図３に示すように、ハンドル２０と、スプリング３０と、スプリング押さえ４０と、紐抜け止め具５０とを備えている。
紐１０は、例えば、縄跳び１の使用者が、一方（左）のハンドルユニットＨを左の掌で握り、他方（右）のハンドルユニットＨを右の掌で握って、一人で縄跳びをする際にその長さが、ほぼ好適な長さとなるように設定されている。なお、後述するように、紐の長さについては、使用者の身長等に応じて、簡単に長さ調整ができるようになっている。紐１０の材質としては、ビニル等の合成樹脂や、繊維で編まれたものを使用することができる。なお、紐１０の材質としては特に限定されるものではない。紐１０の一方の端部１１は、図１，図３に示すように、スプリング３０、スプリング押さえ４０、紐抜け止め５０を介して、一方のハンドル２０に取り付けられる。
【００２６】
ハンドル２０は、図３，図４に示すように、軸心Ｃに沿って基端２０ａ側から、紐１０の端部１１が取り付けられる先端２０ｂ側に向かって延びる略円筒状に形成されている。ハンドル２０全体としては、先端２０ｂ側が縮径する先細りの円筒状に形成されていて、これに伴って内周面２１も先端２０ｂ側が縮径するように形成されている。ハンドル２０の先端２０ｂには、第１開口部２２が形成され、また、基端２０ａには、この第１開口部２２よりも大径の第２開口部２４が形成されている。この第２開口部２４を介して、後述するスプリング３０及びスプリング押さえ４０がハンドル２０の内側に挿脱できるようになっている。ハンドル２０の内周面には、第１開口部２２に連続するストッパ面２３が形成されている。ストッパ面２３は、第１開口部２２に連続する先端側から基端側に向かうにしたがって、その内径が大きくなるテーパ状に形成されている。さらに、図示例では、円錐台状に形成されている。このストッパ面２３には、次に説明するスプリング３０の拡開部３２が当接される。なお、ハンドル２０の形状は、略円筒状、略多角筒状（例えば、略六角筒状、略八角筒状）に形成することが可能である。
【００２７】
スプリング３０は、図３，図５に示すように、先端側（図５（ｂ）中の右側）に円筒部３１を有し、基端側（図５（ｂ）中の左側）に拡開部３２を有するコイルスプリングによって構成されている。円筒部３１は、図２（ａ），図３に示すように、ハンドル２０の第１開口部２２から外側に向けて突出されている。円筒部３１の内径は、紐１０の直径よりの少し大きく設定されている。拡開部３２は、円筒部３１の基端側に連続するように形成されていて、基端側ほど直径が大きくなるように形成されている。図示例では、ハンドル２０のストッパ面２３の形状に倣って円錐台状に形成されている。拡開部３２は、その外周面を、図２（ａ）、図３に示すように、ハンドル２０のストッパ面２３に、これらの図中の左方から当接されている。これにより、スプリング３０は、その軸心Ｃを、ハンドル２０の軸心Ｃと、高い精度で一致させている。なお、スプリング３０の拡開部３２は、上述の円錐台状に代えて、これに近似した曲面状に形成してもよい。例えば、図５（ｂ）に示す形状において、拡開部３２の形状が、直線状に限らず、滑らかに外側に向かって凸状、あるいは逆に内側に向かった凸状に形成してもよい。
【００２８】
スプリング押さえ４０は、先端側（図６（ａ），（ｃ），（ｅ）中の右側）に押圧面４１を有し、基端側（図６（ａ），（ｃ），（ｅ）中の左側）に筒状部４４を有していて、全体として先細りの円筒状に形成されている。押圧面４１は、先端側から基端側に向かうほど外径が大きくなるテーパ状に形成されている。押圧面図示例では、スプリング３０の拡開部３２の内面の形状に倣って、円錐台状に形成されている。スプリング押さえ４０は、スプリング３０を位置決め固定する。すなわち、スプリング押さえ４０は、ハンドル２０の基端側の第２開口部２４から挿入されて、その押圧面４１をスプリング３０の拡開部３２の内周面に挿入して、ハンドル２０のストッパ面２３との間に、拡開部３２を挟持している。これにより、拡開部３２を広い面積で、確実の固定することができ、さらに、スプリング３０全体を、その軸心Ｃがハンドル２０の軸心と一致するように、高い精度で位置決め固定することができる。
【００２９】
スプリング押さえ４０の円筒部４４の外周面には、複数（図示例では６個）の軸方向リブ４５が突設されている。軸方向リブ４５は、筒状部４４の外周面を６等分する位置のそれぞれに、軸心Ｃに沿って延びるように立設されている。スプリング押さえ４０は、これらの軸方向リブ４５により、ハンドル２０の内側に対する挿脱が容易になるとともに、挿入された際に高い精度で軸心Ｃ上に配置される。
【００３０】
スプリング押さえ４０の先端側には、図６（ｅ）に示すように、透孔４２が形成され、また、基端側には仕切り板４３（係止部）が設けてある。透孔４２は、紐１０の直径よりも少し大きく形成されている。仕切り板４３は、長方形状に形成されていて、図６（ｅ）に示すように、基端側から先端側に向かって、スプリング押さえ４０の全長の１／３程度まで延びるように配置されている。仕切り板４３は、スプリング押さえ４０の基端側の内側の空間を、図６（ｂ）に示すように、領域４３Ａと領域４３Ｂとに区画している。仕切り板４３には、図６（ｅ）に示すように、基端縁における軸心Ｃ上に、紐１０の直径に対応して、半円形の凹部４３ａが形成されている。スプリング押さえ４０は、紐１０の端部１１を係止する。すなわち、スプリング紐１０の端部１１は、図６（ｅ）に示すスプリング押さえ４０の透孔を、右方から左方に貫通した後、図６（ｂ），図２（ａ）に示す、仕切り板４３で仕切られた領域４３Ａを通過し、仕切り板４３の凹部４３ａで折り返し、次に説明する紐抜け止め具５０が装着された状態で、領域４３Ｂに挿入される。スプリング押さえ４０は、これにより、紐１０の端部１１を係止する。
【００３１】
紐抜け止め具５０は、図７（ａ）〜（ｃ）に示すように、略楕円形の板状に形成されていて、２個の透孔５０ａ，５０ｂが隣接するように穿設されている。また、略楕円形の板状の外周縁及び透孔５０ａ，５０ｂの内周縁は、縁取るように板厚が厚く形成されていて、紐抜け止め具５０を補強している。これら透孔５０ａ，５０ｂの直径は、紐１０の直径よりも僅かに大きく設定されている。紐抜け止め具５０は、例えば、軟質の合成樹脂（プラスチック）によって形成されている。紐抜け止め具５０は、図２（ａ）に示すように、紐１０の端部１１が一方の透孔５０ａに挿通された後、さらに他方の透孔５０ｂに挿通された状態で、スプリング押さえ４０の領域４３Ｂに挿入される。これにより、紐１０の端部１１近傍は、姿勢が固定され、この状態で領域４３Ｂに挿入される。このため、挿入された紐１０の端部１１近傍は、紐１０を引き抜くように作用する力に対しては、端部１０の一部が点Ｐで凹部４３ａに当接し、かつ紐抜け止め具５０の一部が点Ｑでスプリング押さえ４０の内周面４６に接触（当接）するため、紐１０の端部１１が領域４３Ｂから抜けることを確実に防止することができる。すなわち、図２（ａ）中の紐１０に対して、右方に引き抜くような力が作用した場合、端部１１近傍には、点Ｐを基準に右回りのモーメントが作用するが、点Ｐ，Ｑ間の距離が、仕切り板４３からスプリング押さえ４０の内周面までの距離よりも十分大きいので、端部１１近傍が領域４３Ｂから抜け落ちることはない。なお、紐１０の長さ調整をする場合には、図１に示すように、紐１０におけるハンドル２０の先端２０ｂ近傍の部分を、ハンドル２０の基端２０ａ側に向けて強く押し込むと、同図に示すように、スプリング押さえ４０が、ハンドル２０から抜ける。さらに、領域４３Ｂに係止されている紐抜け防止具５０を引き抜き、紐１０の端部１１を、透孔５０ｂ，５０ａから外す。そして、適宜な長さに切断する。その後、上述の逆の手順で、すなわち、端部１１を透孔５０ａ，５０ｂに挿通させ、紐抜け止め具５０を領域４３Ｂに挿入し、この状態で、紐１０におけるハンドル２０の先端２０ｂ近傍の部分を図１中の右方に強く引っ張る。これにより、スプリング押さえ４０の押圧面４１がスプリング３０の拡開部３２の内面に挿入され、さらに、スプリング３０の拡開部３２の外周面がハンドル２０のストッパ面２３に押圧される。つまり、スプリング押さえ４１の押圧面４１とハンドル２０のストッパ面２３との間にスプリング３０の拡開部３２を強く挟持して、スプリング３２を軸心Ｃ上に高い精度で位置決め固定することが出来る。
【００３２】
図１０，図１１を参照して、上述構成の縄跳び１の動作について説明する。図１０に示すように、使用者が一方及び他方のハンドル２０をそれぞれ左及び右の掌で握って回転させると、縄跳び１は、スプリング３０の円筒部３１は、その先端３１ｂ側が基端３１ａ近傍を基準として、図示のように湾曲する。図１１は、この状態を図１０中の矢印Ｋ方向から見たようすを模式的に示す図である。同図中、紐１０は、中心Ｃ０を基準として、矢印Ｒ方向に回転する。このとき、スプリング３０の円筒部３１の基端３１ａは、円形の軌跡Ｃ１上を移動し、また、先端３１ｂは、軌跡Ｃ１よりも直径が大きい軌跡Ｃ２上を移動する。このとき、スプリング３０の円筒部３１は、図１０に示すように湾曲するので、円筒部３０には、その重心Ｇに、図１１中の復元力Ｆが作用する。この復元力Ｆは、図示例では、中心の左側において、斜め右方に作用する。したがって、この復元力Ｆによって、紐１０のおける、円筒部３１に覆われている部分には、矢印Ｒ方向、つまり、紐１０の回転を助長する方向の力が作用する。これにより、紐１０の回転力が増大し、高回転を実現しやすくなり、例えば、二重跳びをやりやすくなる。さらに、本実施形態では、スプリング３０は、その拡開部３２が、ハンドル２０のストッパ面２３とスプリング押さえ４０の押圧面４１とによって挟持されて、高い精度で、軸心Ｃ上に位置決め固定されるので、スプリングが固定されていない場合（例えば、従来例）と比較して、スプリング３０の復元力Ｆが、紐１０の回転を助長する方向に有効に作用させることができる。つまり、紐１０の高回転を実現しやすい。
【００３３】
次に、図８（ａ），（ｂ）、図９（ａ），（ｂ）を参照して、別の紐抜け止め具６０について説明する。紐抜け止め具６０は、小判をその長手方向にさらに伸ばしたような小判形の板状に形成されていて、長手方向に中心に相互に隣接するように２つの透孔６０ａ，６０ｂが形成されている。なお、小判形の外周縁及び透孔６０ａ，６０ｂの内周縁は、補強のため、板厚を厚くしている。この抜け止め具６０の使用方法は、図７に示す上述の紐抜け止め具５０と同様であるので、詳細についての説明は省略する。
【００３４】
この紐抜け止め具６０によると、図９（ａ）に示すように、スプリング押さえ４０の内側の仕切り板４３によって仕切られた領域４３Ｂに、紐１０の端部１１に装着された紐抜け止め具６０を挿入すると、紐抜け止め具６０の長手方向の一方の端部（図示例では左側の端部）が、スプリング押さえ４０の左端縁から左方に突出する。したがって、紐抜け止め具６０を領域４３Ｂから引き抜く際に、この突出部分を掴んで引き抜くことができるので、その引き抜き動作が容易となる。
【図面の簡単な説明】
【００３５】
【図１】ハンドル２０、スプリング３０、スプリング押さえ４０、紐抜け止め具５０からなるハンドルユニットＨの、紐１０が通った状態の分解斜視図である。
【図２】（ａ）は、軸心（中心軸）Ｃを含む平面できったハンドルユニットＨの断面図、（ｂ）は、紐１０が抜けた状態のハンドルユニットＨの分解斜視図である。
【図３】軸心Ｃを含む平面で切ったハンドルユニットＨを模式的に示す断面図である。
【図４】ハンドル２０を説明する図であり、（ａ），（ｂ），（ｃ）は、この順に左側面図、一部破断正面図、右側面図である。
【図５】スプリング３０を説明する図であり、（ａ），（ｂ），（ｃ）は、この順に左側面図、正面図、右側面図である。
【図６】スプリング押さえ４０を説明する図であり、（ａ），（ｂ），（ｃ），（ｄ），（ｅ）は、この順に上面図、左側面図、正面図、右側面図、Ａ−Ａ線矢視図である。
【図７】紐抜け止め具５０を説明する図であり、（ａ），（ｂ），（ｃ）は、この順に上面図、正面図、右側面図である。
【図８】他の紐抜け止め具６０を説明する図であり、（ａ），（ｂ），（ｃ）は、この順に上面図、正面図、右側面図である。
【図９】（ａ）は、他の紐抜け止め具６０の使用例を説明する図であり、（ａ）は、ハンドルユニットＨの、軸心Ｃを含む平面で切った断面図、（ｂ）は、ハンドルユニットＨの分解斜視図である。
【図１０】縄跳び１の使用状態を説明する図である。
【図１１】縄跳び１の、回転力が増加する原理を説明する図である。
【符号の説明】
【００３６】
１          縄跳び
１０        紐
１１        紐の端部
２０        ハンドル
２０ａ      ハンドルの基端
２０ｂ      ハンドルの先端
２２        第１開口部
２３        ストッパ面
２４        第２開口部
３０        スプリング（コイルスプリング）
３１        円筒部
３１ａ      円筒部の基端
３１ｂ      円筒部の先端
３２        拡開部
４０        スプリング押さえ
４１        押圧面
４２        スプリング押さえの透孔
４３        仕切り板（保持部、係止部）
４４        筒状部
４５        軸方向リブ
５０，６０  紐抜け止め
５０ａ，５０ｂ，６０ａ，６０ｂ
紐抜け止め具の透孔
Ｃ          軸心
Ｈ          ハンドルユニット
【図１】
2010178865.tif 000003
【図２】
2010178865.tif 000004
【図３】
2010178865.tif 000005
【図４】
2010178865.tif 000006
【図５】
2010178865.tif 000007
【図６】
2010178865.tif 000008
【図７】
2010178865.tif 000009
【図８】
2010178865.tif 000010
【図９】
2010178865.tif 000011
【図１０】
2010178865.tif 000012
【図１１】
2010178865.tif 000013